(57)【特許請求の範囲】
【請求項１】
筒状をしてその側壁にアンテナを有する樋体と、
雨水を前記樋体内の前記側壁から距離をあけた内部に流すための雨水中流し手段と
を備え、
前記雨水中流し手段は、
雨水を前記樋体内の前記側壁から距離をあけた内部に集めるための集水部と、
前記樋体よりも径が小さく前記側壁から距離をあけて前記樋体内に設けられ、且つその下端面が前記樋体の上下方向の途中に位置すると共に傾斜している内筒体と
を有しており、
前記内筒体の下端は自由端となっており、雨水を前記内筒体の下端から前記樋体の内部で放出するように構成されている
ことを特徴とするアンテナ付き竪樋。
【請求項２】
筒状をしてその側壁にアンテナを有する樋体と、
雨水を前記樋体内の前記側壁から距離をあけた内部に流すための雨水中流し手段と
を備え、
前記雨水中流し手段が、雨水を前記樋体内の前記側壁から距離をあけた内部に集めるための集水部を有しており、
前記アンテナは前記集水部よりも下方に位置している
ことを特徴とするアンテナ付き竪樋。
【発明の詳細な説明】
【技術分野】
【０００１】
本発明は、アンテナ付き竪樋に関する。
【背景技術】
【０００２】
従来、建物の外壁等に沿って配管された竪樋に、アンテナが取り付けられた構造が知られている（例えば特許文献１参照）。この竪樋に取り付けられるアンテナは、内部に流路を有する竪樋の側壁に、外側から挟み込むようにして取り付けられる。
【０００３】
ところで竪樋は、内部に流路が形成されているため、筒状に形成されている。通常、雨水は、竪樋の内部を流通する際、竪樋内部で外方向に広がりながら、当該竪樋の側壁を伝って流下する。このとき雨水は、竪樋の側壁を伝って流下するため、流量が多くなると、当該竪樋の側壁内面の周方向の略全長に亘って水の層を形成する。
【先行技術文献】
【特許文献】
【０００４】
【特許文献１】特開平０１−１６８１０１号公報
【発明の概要】
【発明が解決しようとする課題】
【０００５】
しかしながら、上記のようなアンテナが取り付けられた竪樋において、内側面に水の層が形成されると、当該水の層がアンテナ性能に悪影響を及ぼすおそれがある。
【０００６】
本発明は、上記事情に鑑みてなされたものであり、その目的とするところは、内部を流通する雨水によって、アンテナ性能に悪影響を受けにくいアンテナ付き竪樋を提供することにある。
【課題を解決するための手段】
【０００７】
本発明のアンテナ付き竪樋は、筒状をしてその側壁にアンテナを有する樋体と、雨水を前記樋体内の前記側壁から距離をあけた内部に流すための雨水中流し手段とを備えていることを特徴とする。
【０００９】
またこのアンテナ付き竪樋において、前記雨水中流し手段は、雨水を前記樋体内の前記側壁から距離をあけた内部に集めるための集水部と、前記樋体よりも径が小さく前記側壁から距離をあけて前記樋体内に設けられ、且つその下端面が前記樋体の上下方向の途中に位置すると共に傾斜している内筒体とを備え、前記内筒体の下端は自由端となっており、雨水を前記内筒体の下端から前記樋体の内部で放出するように構成されていることが好ましい。
【００１２】
またこのアンテナ付き竪樋において、前記雨水中流し手段が、雨水を前記樋体内の前記側壁から距離をあけた内部に集めるための集水部を備え、前記アンテナは前記集水部よりも下方に位置していることが好ましい。
【発明の効果】
【００１３】
本発明のアンテナ付き竪樋によれば、内部を流通する雨水によって、アンテナ性能に悪影響を受けにくいものとすることができる。
【図面の簡単な説明】
【００１４】
【図１】実施形態１のアンテナ付き竪樋の側断面図である。
【図２】実施形態１のアンテナ付き竪樋の水平断面図である。
【図３】実施形態１のアンテナ付き竪樋の外筒部を破断した斜視図である。
【図４】実施形態１のアンテナの斜視図である。
【図５】実施形態１のアンテナの斜視図である。
【図６】実施形態１のアンテナ付き竪樋を取り付けた状態の概略側面図である。
【図７】（ａ）は実施形態２のアンテナ付き竪樋の外筒部及び上接続部を省略した側断面図であり、（ｂ）は参考図である。
【図８】実施形態３のアンテナ付き竪樋の外筒部及び上接続部を省略した側断面図である。
【図９】実施形態４のアンテナ付き竪樋の外筒部及び上接続部を省略した図であり、（ａ）は側断面図であり（ｂ）は（ａ）におけるＡ−Ａ線断面図である。
【図１０】実施形態５のアンテナ付き竪樋の外筒部及び上接続部を省略した図であり（ａ）は側断面図であり（ｂ）は平面図である。
【図１１】集水体の変形例の側断面図である。
【発明を実施するための形態】
【００１５】
以下、本発明の実施形態について添付図面に基づいて説明する。
【００１６】
実施形態１のアンテナ付き竪樋は、図６に示されるように、建物の外壁に沿って配設された竪樋の上下方向の一部が取り除かれ、その取り除かれた部分に取り付けられるものである。なお以下、竪樋の一部を切除した後の上流側に位置する竪樋を「上流側の竪樋１１」といい、竪樋の一部を切除した後の下流側に位置する竪樋を「下流側の竪樋１２」という。
【００１７】
このアンテナ付き竪樋は、例えばテレビ側ケーブル１３に接続されることで、テレビ用のアンテナとして用いられる。アンテナ付き竪樋は、竪樋の一部として用いられるものであり、その内部を雨水が流通する。
【００１８】
本実施形態のアンテナ付き竪樋は、図１に示されるように、その側壁３２にアンテナ２を有する樋体３と、樋体３の側壁３２から距離をあけて樋体３内に設けられる内筒体３１とを備えている。またアンテナ付き竪樋は、上流側の竪樋から流下した雨水を樋体３の側壁３２から距離をあけた内部に集めるための集水体４をさらに備えている。
【００１９】
アンテナ付き竪樋は、雨水を樋体３内の側壁３２から距離をあけた内部に流すことで雨水が樋体３の側壁３２の内面に伝うのを防ぐ雨水中流し手段１を備えている。本実施形態の雨水中流し手段１は、集水体４と、樋体３内に配置され且つ当該樋体３の上下方向の略全長に亘って形成された内筒体３１とを備えている。
【００２０】
アンテナ２は、樋体３の側壁３２に設けられている。アンテナ２は、樋体３の側壁３２に積層又は当該側壁３２の肉厚内に埋設されて取り付けられる。本実施形態のアンテナ２は、図３に示されるように、樋体３の側壁３２に沿うよう当該樋体３の側壁３２に外側から重ねられて、取付部材１４により固定される。アンテナ２は、導電性を有する金属板材２０（金属箔も含まれる）により構成されており、図４に示されるように、縦長矩形状の金属板材２０を短辺方向がＣ字状となるよう長辺方向に一様に湾曲させることで形成される。
【００２１】
アンテナ２は、上下方向に複数のスロット２１が形成されたスロットアンテナ２により構成されている。アンテナ２は、このスロット２１が上下方向に複数並設されており（本実施形態では２箇所）、隣接するスロット２１同士がスリット状の細溝２２で接続されている。アンテナ２は、各スロット２１が周方向の一部に位置している。各スロット２１は、金属板材２０の厚み方向に貫通する開口により構成されており、一対の三角形の頂点同士を互いに突き合わせたようなボウタイ形状に形成されている。各スロット２１は、上下方向の略中央部分に給電部２３を有している。本実施形態の給電部２３は、周方向に対向する三角状片２４の頂点部分により構成されている。
【００２２】
なお給電部２３には、同軸ケーブル（図示せず）が電気的に接続される。同軸ケーブルは、中央の線が一方の三角状片２４に接続され且つ外側の網線が他方の三角状片２４に接続される。同軸ケーブルは、アンテナ２により受信した電波を、室内側のテレビ等に送るための伝送路となる。
【００２３】
本実施形態のアンテナ２は、第一の周波数帯（例えば４７３〜６００ＭＨｚ）の電波を受信する第一の受信部２５と、第二の周波数帯（例えば６００〜７２０ＭＨｚ）の電波を受信する第二の受信部２６とを有している。
【００２４】
第一の受信部２５は、スロット２１及び当該スロット２１の開口周縁部により構成される。第二の受信部２６は、このスロット２１に上下方向に隣接する周方向に連続した金属板材２０により構成される。
【００２５】
第一の受信部２５を構成するスロット２１の上下方向の長さは、前記第一の周波数帯内の電波の電気的な半波長の長さに応じて決定される。また、第二の受信部２６の周方向の長さは、前記第二の周波数帯内の電波の電気的な半波長の長さに応じて決定される。
【００２６】
またアンテナ２は、図５に示されるように、周方向の両端間に、上下方向の全長に亘って隙間２７が形成される。この隙間２７は、スロット２１に対向する位置に設けられ、すなわちアンテナ２の円弧中心を挟んで、スロット２１とは対極の位置となるように形成される。
【００２７】
またアンテナ２は、スロット２１の背部に抜き部２８が形成されている。抜き部２８は、金属板材２０が存在しない部分であって、正面から見てスロット２１と重なる位置に設けられている。抜き部２８は、上下長さがスロット２１の上下長さよりも長く、且つ周方向長さがスロット２１の周方向長さよりも長く形成されている。
【００２８】
このような構成のアンテナ２は、図３に示されるように、湾曲して内向する裏面が、樋体３の側壁３２の外面に当接するようにして取り付けられる。アンテナ２は、取付部材１４により固定される。
【００２９】
樋体３は、筒状をしており、非導電性の合成樹脂材料により形成されている。本実施形態の樋体３は、円筒状の丸樋により構成されている。樋体３は、図１に示されるように、上方に開口する上開口３００と、下方に開口する下開口３０１と、上開口３００及び下開口３０１を連通する連通路３０２とを備えている。この連通路３０２内には、樋体３よりも径が小さく且つ樋体３の側壁３２から距離をあけて配設された内筒体３１が収容配置されている。
【００３０】
内筒体３１は、断面円形状に形成されており、樋体３の長手方向の略全長に亘って形成されている。内筒体３１は、上下方向に開口する筒状に形成されており、その内部に、雨水の流通する流通路３１０を有している。内筒体３１は、上方の開口が上流側の竪樋１１に連通し、下方の開口が下流側の竪樋１２に連通する。内筒体３１は、図１に示されるように、その上端が集水体４を介して後述の上接続部６に固定され、その下端が下接続部７に固定されている。
【００３１】
内筒体３１は、図２に示されるように、樋体３と同心状に設けられている。内筒体３１は、流通路の断面積が、上流側の竪樋１１の流路の断面積と略同じか、又はそれよりも大きくなるよう設けられている。通常、一般的な竪樋は外径がφ４５ｍｍ（内径がφ４２．７ｍｍ）である。そこで本実施形態の内筒体３１は、その外径がφ４５ｍｍ（内径がφ４２．７ｍｍ）のパイプにより構成されている。これにより本実施形態では、内筒体３１の流通路の断面積が、上流側の竪樋１１の流路の断面積と略同じになるよう形成されている。
【００３２】
本実施形態のアンテナ付き竪樋は、図１に示されるように、上流側の竪樋１１から流出した雨水を受ける集水体４を有している。この集水体４は、上流側の竪樋１１から流出した雨水を受けて、樋体３内の内筒体３１に向けて集水する。集水体４は、上下方向に連通し且つ下方ほど流路の断面積が小さくなるよう形成された集水部４１と、この集水部４１の下端の開口周縁から下方に向けて突設された下縁部４２とにより構成されている。集水体４は、集水部４１と下縁部４２とが、射出成形や注型成形などにより一体成形されている。
【００３３】
集水部４１は、樋体３内の側壁３２から距離をあけた内部に雨水を集める。集水部４１は、流入側の開口の内径が上流側の竪樋１１の外径よりも大きく形成されており、これにより当該上流側の竪樋１１の下端に外嵌される。
【００３４】
下縁部４２は、内筒体３１の上端の開口内に嵌め込まれるような大きさに形成されており、これにより内筒体３１の上端の開口に内嵌される。これにより集水体４は、内筒体３１の上端を樋体３の上端に固定すると共に、内筒体３１に連通接続されている。
【００３５】
本実施形態のアンテナ付き竪樋は、樋体３の外側を覆うように当該樋体３と同心状に設けられた外筒部９を備えている。また本実施形態のアンテナ付き竪樋は、外筒部９の上端に設けられて上流側の竪樋１１に接続される上接続部６と、外筒部９の下端に設けられて下流側の竪樋１２に接続される下接続部７とをさらに備えている。
【００３６】
外筒部９は、上下方向に軸方向を有する円筒形状となっており、非導電性の合成樹脂材料により構成されている。外筒部９は、その内径が、樋体３の外径よりも大径に形成されており、樋体３及びアンテナ２の外側を覆うよう構成されている。
【００３７】
上接続部６は、外筒部９の上端と樋体３の上端とを相互に位置決めし、これにより両者を保持する。上接続部６は、上下方向に貫通する上貫通孔６１を備えている。上貫通孔６１は、その内径が、上流側の竪樋１１の外径よりも大きく形成されており、当該上流側の竪樋１１が遊びを持って挿入されるよう構成されている。上接続部６は、その内部に集水体４が配置されている。
【００３８】
また上接続部６は、図３に示されるように、アンテナ２に接続された同軸ケーブルに電気的に接続された接続具６２を備えている。接続具６２は、上接続部６から露出するよう設けられている。この接続具６２は、アンテナ２により受信した信号を、同軸ケーブルを介してテレビ側ケーブル１３に電気的に接続するために用いられる。
【００３９】
下接続部７は、外筒部９の下端と樋体３の下端とを相互に位置決めし、これにより両者を保持する。また下接続部７は、内筒体３１の下端を固定する。下接続部７は、その中央部分に、上下方向に貫通し且つ下流側の竪樋１２よりも小径に形成された下貫通孔７１が穿設されている。この下貫通孔７１は、内筒体３１に連通接続されている。下接続部７は、下流側の竪樋１２の上端に載置されるよう構成されている。これによりアンテナ付き竪樋は、下流側の竪樋１２の上端に支持される。
【００４０】
以上のような構成の本実施形態のアンテナ付き竪樋は、図６に示されるように、建物の外壁に沿って設置された竪樋の一部として設置される。
【００４１】
外壁に沿って設置された竪樋は、軒樋１５の集水器１６に第１のエルボ１７と呼び樋１８を介して連通した第２のエルボ１９に連通接続されている。竪樋は、一部が切除されて、上流側の竪樋１１と、下流側の竪樋１２とに分離している。本実施形態のアンテナ付き竪樋は、上接続部６が上流側の竪樋１１の下端に連通接続され、下接続部７が下流側の竪樋１２の上端に連通接続される。なお、上流側の竪樋１１及び下流側の竪樋１２は、その端部が控え具８０により外壁に固定されている。また本実施形態のアンテナ付き竪樋は、非導電性樹脂により形成された控え具８１により固定されている。このように、設置後のアンテナ付き竪樋は、建物の外壁に沿って設置された竪樋の一部を構成する。
【００４２】
本実施形態のアンテナ付き竪樋を設置するには、施工者は、上接続部６の上貫通孔６１に上流側の竪樋１１の下端を挿入した上で、下接続部７を下流側の竪樋１２の上端に載置する。この後、アンテナ付き竪樋を樋体３の中心軸回りに回動して、アンテナ２が放送電波を最も強く受信できるような向きに配置する。この状態で、当該アンテナ付き竪樋を控え具８１により固定する。
【００４３】
なお本実施形態のアンテナ付き竪樋は、建物の壁面に沿って新たに竪樋を配設する場合はもちろんのこと、既に設置されている竪樋に対しても、簡単にアンテナ付き竪樋を設置することができる。
【００４４】
このような構造において、上流側の竪樋１１に雨水が流通すると、雨水は、上接続部６の上貫通孔６１を通過して集水体４に流下し、その後、内筒体３１内部を流通する。次いで雨水は、内筒体３１内部を流下し、下接続部７の下貫通孔７１を通過して下流側の竪樋１２に流入する。
【００４５】
このとき、雨水が流通する内筒体３１は、樋体３の側壁３２とは一定距離離れた樋体３の中央に設けられているため、アンテナ２のスロット２１の直ぐ内側の側壁３２の内面に水が流通しない。すなわち、本実施形態のアンテナ付き竪樋は、内部を流下する雨水により、アンテナ２のスロット２１を覆うことがないから、アンテナ性能に悪影響を受けるのを低減させることができる。
【００４６】
ところで、実施形態１において、仮に樋体３内に内筒体３１が設けられていない場合、当該樋体３内を流通する雨水は、樋体３の側壁３２の内面を伝って流下する。特に本実施形態のように樋体３が丸樋の場合、雨水は、軒樋１５に接続された集水器１６を通過することで、樋体３の側壁３２の内面を螺旋状に伝って流れ落ちる。このため雨水は、流量が多い場合、樋体３が丸樋であっても角樋であっても、側壁３２の内面の略全周に亘って水の層を形成する。この水の層はアンテナ２のスロット２１を樋体３内から覆ってしまう。
【００４７】
ここで本実施形態のアンテナ２は、スロット２１の存在により電波を受信するものであり、具体的に、金属板材２０を貫通する開口と、この開口周縁部とを利用して電波を受信する。また空気の比誘電率がおよそ１であるのに対し、水の比誘電率はおよそ８０である。このため、仮にスロット２１が雨水の層に覆われると、樋体３の側壁３２を介しているとはいえ、受信性能である利得が減衰してしまう。
【００４８】
この点、本実施形態のアンテナ付き竪樋は、内筒体３１と集水部４１とを備える雨水中流し手段１を有しているため、樋体３の側壁３２の内面に、雨水が伝って流下しないようにすることができる。これにより、樋体３内を流通した雨水の排水性を確保しながら、アンテナ性能に悪影響を受けるのを極力防ぐことができる。
【００４９】
しかも本実施形態のアンテナ付き竪樋は、内筒体３１の流通路の断面積が、上流側の竪樋１１の流路の断面積と略同じか又はそれよりも大きくなるよう形成されている。このため本実施形態のアンテナ付き竪樋は、樋体３内の一部にのみ雨水が流通する構造であっても、上流側の竪樋１１から流下する雨水の排水性能が低下するのを防ぐことができる。
【００５０】
また本実施形態のアンテナ付き竪樋は、内筒体３１が、樋体３の長手方向の略全長に亘って設けられたものであるため、長手方向の全長に亘って、雨水をアンテナ２のスロット２１が位置する側から離れた位置に流すことができる。
【００５１】
次に、実施形態２について図７に基づいて説明する。なお、本実施形態は実施形態１と大部分において同じであるため、同じ部分においては説明を省略し、主に異なる部分について説明する。
【００５２】
実施形態２のアンテナ付き竪樋は、実施形態１と同様、側壁３２にアンテナ２を有する筒状の樋体３と、樋体３内の側壁３２から距離をあけた内部に雨水を流すための雨水中流し手段１とを備えている。本実施形態の雨水中流し手段１も、実施形態１と同様、樋体３内の側壁３２から距離をあけた内部に雨水を集めるための集水部４１と、樋体３よりも径が小さく側壁３２から距離をあけて樋体３内に設けられた内筒体３１とを備えている。なお、実施形態２のアンテナ付き竪樋は、集水体４の取付位置が実施形態３とは異なっており、その他の構造は同じである。
【００５３】
本実施形態の集水体４は、実施形態１と同様、上流側の竪樋１１から流出した雨水を受け、その雨水を内筒体３１の流通路に向けて集水するための部材である。集水体４は、図７（ａ）に示されるように、上下方向に連通し且つ下方ほど断面積が小さくなるよう形成された集水部４１と、この集水部４１の下端の開口周縁から下方に向けて突設された下縁部４２とを備えている。
【００５４】
集水部４１は、樋体３の側壁３２から距離をあけた内部に雨水を集める。集水部４１は、その側壁３２が下方ほど樋体３の中央に位置するよう漸次傾斜している。集水部４１は、流入側の開口の内径が上流側の竪樋１１の外径よりも大きく形成されており、これにより当該上流側の竪樋１１の下端に外嵌される。下縁部４２は、内筒体３１の上端の開口内に嵌め込まれるような形状となっており、これにより内筒体３１の上端の開口に内嵌される。
【００５５】
このような構成の集水体４は、集水部４１がアンテナ２よりも上方に位置するよう配置されている。すなわち集水体４は、集水部４１の下端がアンテナ２の上端と略同じ位置か又はそれよりも上方に位置するよう配置されている。なお図７中の点線ハッチング部分は、アンテナ２の存在する領域を示している。
【００５６】
ここで集水部４１は、内筒体３１よりも大径に形成されているうえに上方ほど漸次大径に形成されている。このため、実施形態１のアンテナ付き竪樋のように集水体４が配置されると、集水部４１を流下する雨水がアンテナ２上端と近接してしまう（図７（ｂ）の概略図参照）。
【００５７】
この点、本実施形態のアンテナ付き竪樋は、アンテナ２が、集水部４１よりも下方に位置し、側方から見て集水部４１とは重ならない位置に配置された構造となっているため、アンテナ２の上端部と雨水とが近接してしまうのを防ぐことができる。これにより本実施形態のアンテナ付き竪樋によれば、確実に雨水とアンテナ２とを一定距離以上離すことができ、アンテナ性能に悪影響を受けてしまうのを防ぐことができる。
【００５８】
次に、実施形態３について図８に基づいて説明する。なお、本実施形態は実施形態１と大部分において同じであるため、同じ部分においては説明を省略し、主に異なる部分について説明する。
【００５９】
実施形態３のアンテナ付き竪樋は、実施形態１と同様、側壁３２にアンテナ２を有する筒状の樋体３と、樋体３内の側壁３２から距離をあけた内部に雨水を流すための雨水中流し手段１とを備えている。本実施形態の雨水中流し手段１は、樋体３内の側壁３２から距離をあけた内部に雨水を集めるための集水部４１と、この集水部４１の流出側の開口に連通接続された内筒体３３とを備えている。
【００６０】
本実施形態のアンテナ付き竪樋は、内筒体３３の構造が実施形態１の構造とは異なっている。なお内筒体３３以外の構造は、実施形態１と同じである。
【００６１】
本実施形態の内筒体３３は、短管により構成されており、その下端部が樋体３の上下方向の途中に位置している。内筒体３３は、その下端部が、水平から傾斜した切断面で切断されており、これにより下端面が鋭角に傾斜している。特に本実施形態の内筒体３３は、その傾斜面が、スロット２１側に向くよう切断されており、つまりその下端が樋体３の側壁２３から離れるようにして切断されている。内筒体３３は、その上端が集水体４の下縁部４２に嵌合されて連通接続されており、下端が自由端となっている。
【００６２】
アンテナ付き竪樋が竪樋に取り付けられた状態で、上流側の竪樋１１から雨水が流出されると、雨水は、上貫通孔６１を通過して集水体４の集水部４１に流通し、次いで内筒体３３に流入する。このとき、上流側の竪樋１１を流通する雨水は、広がりながら螺旋状に流下する。
【００６３】
内筒体３３に流入した雨水は、当該内筒体３３の内周壁に沿って螺旋状に流下し、傾斜した下端面に到達する。雨水は、図８中の矢印のように、この鋭角傾斜した下端面を伝い、最下端の鋭角な先端から放水される。
【００６４】
樋体３内で放水された雨水は、線状に収斂した状態で樋体３内の断面略中央を流れ落ちる。この後、雨水は、樋体３の側壁３２下部又は下接続部７で受けられ、下貫通孔７１を介して下流側の竪樋１２に流入する。
【００６５】
このように、内筒体３３の下端が傾斜した構成によれば、雨水は、内筒体３３内を螺旋状に流下しても、内筒体３３から放出される際には、鋭角な先端から線状に収斂した状態で、一定方向に放出される。このため、内筒体３３の傾斜した下端を樋体３内部の略中央に臨ませるよう内筒体３３が配置されていると、雨水を樋体３内の側壁３２から距離をあけた内部に流すことができる。
【００６６】
次に、実施形態４について図９に基づいて説明する。なお、本実施形態は実施形態１と大部分において同じであるため、同じ部分においては説明を省略し、主に異なる部分について説明する。
【００６７】
実施形態４のアンテナ付き竪樋は、実施形態１と同様、側壁３２にアンテナ２を有する筒状の樋体３と、樋体３内の側壁３２から距離をあけた内部に雨水を流すための雨水中流し手段１とを備えている。本実施形態の雨水中流し手段１は、樋体３内の側壁３２から距離をあけた内部に雨水を集めるための集水部４１と、この集水部４１の流出側の開口に設けられた鎖樋３５とを備えている。
【００６８】
実施形態４のアンテナ付き竪樋は、内筒体３４の構造及び鎖樋３５が設けられている点で、実施形態１の構造とは異なっている。なおそれ以外の構造は、実施形態１と同じである。
【００６９】
内筒体３４は、短管により構成されている。内筒体３４は、下方の開口部内に、鎖樋３５を引掛けるための係止部３６を有している。係止部３６は、平面視Ｘ字状に形成されたものであり、鎖樋３５を引掛けて吊るすことができるよう構成されている。
【００７０】
鎖樋３５は、内筒体３４の下方の開口部内に設けられた係止部３６に吊るされており、樋体３の側壁３２から離間している。鎖樋３５は、樋体３の水平断面の略中央に位置するよう配置されている。鎖樋３５は、内筒体３４を流下した雨水が、当該鎖樋３５を伝って下方に流下する。
【００７１】
なお、本実施形態の鎖樋３５の下端部は自由端となっているが、当該下端部は下接続体７に連結されていてもよい。
【００７２】
このような構成によれば、簡単な構成で確実に、樋体３内の側壁３２から距離をあけて雨水を流下させることができる。
【００７３】
次に、実施形態５について図１０に基づいて説明する。なお、本実施形態は実施形態１と大部分において同じであるため、同じ部分においては説明を省略し、主に異なる部分について説明する。
【００７４】
実施形態５のアンテナ付き竪樋は、実施形態１と同様、側壁３２にアンテナ２を有する筒状の樋体３と、樋体３内の側壁３２から距離をあけた内部に雨水を流すための雨水中流し手段１とを備えている。本実施形態の雨水中流し手段１は、樋体３内の側壁３２から距離をあけた内部に雨水を集めるための集水部５１を有する集水体５と、集水部５１により集められた雨水を放出する流出部３８とを備えている。
【００７５】
集水体５は、上下方向に開口した集水部５１と、この集水部５１の下端の開口周縁から下方に向けて突設された下縁部５２とを備えている。
【００７６】
集水部５１は、上流側の竪樋から流出した雨水を、樋体３内の側壁３２から距離をあけた内部に集める。集水部５１は、上方に開口する上方開口部５３と、下方に開口する下方開口部５４と、上方開口部５３と下方開口部５４とを連設する斜面部５５とを備えている。下方開口部５４は、上方開口部５３よりも開口面積が小さくなるよう形成されている。
【００７７】
斜面部５５は、上方開口部５３の下端から下方ほど樋体３の中央側に位置するよう傾斜している。斜面部５５は、上方開口部５３を通過して流入した雨水を、下方開口部５４に向けて導水する。この斜面部５５は、下方開口部５４周りに放射状に並設された複数の仕切りリブ５６を有している。
【００７８】
仕切りリブ５６は、斜面部５５の上面から上方に向けて突出している。仕切りリブ５６は、下方開口部５４の周縁から上方開口部５３の側壁３２に亘って連続して設けられている。仕切りリブ５６は、斜面部５５上の雨水が、横方向（つまり周方向）に移動するのを規制する。
仕切りリブ５６は、斜面部５５に着水した雨水を整流して、下方開口部５４に向けてガイドする。
【００７９】
放出部３８は、集水体５の集水部５１の下方開口部５４に連通接続される。具体的に放出部３８は、筒状の短管により構成されており、集水体５の下縁部５２に外嵌される。放出部３８は、樋体３の側壁３２から距離をあけた状態で、当該樋体３内部に収容配置されている。放出部３８は、その下方側の開口が、樋体３の上下方向の途中に位置している。
【００８０】
このような構成のアンテナ付き竪樋に雨水が流通する場合につき説明する。
【００８１】
上流側の竪樋１１内を流通する雨水は、螺旋状に流下しながら、上流側の竪樋１１から放出される。雨水は、上流側の竪樋１１から放出されると、螺旋状に拡がりながら落下し、集水体５の斜面部５５に到達する。雨水は、周方向や径方向や重力方向への速度を有しているため、斜面部５５上では乱流となって落下する。この後、雨水は、斜面部５５により下方開口部５４に向けて導水され、それと同時に仕切りリブ５６により整流される。
【００８２】
整流された雨水は、下方開口部５４を通過し、その後流出部３８を介して、樋体３の内部に放出される。このとき、雨水は、整流されており、重力方向以外の速度はほとんど有していないため、樋体３の内部で広がりにくい。これにより雨水は、樋体３の側壁３２に付着しにくく、樋体３内の側壁３２から距離をあけた状態で落下する。
【００８３】
このような構成によれば、雨水を樋体３内の側壁３２から距離をあけて流下させることができ、雨水を樋体３内に伝わせないで流下させることができる。これにより、排水性を確保しつつ、アンテナ性能に悪影響を受けるのを防ぐことができる。
【００８４】
なお、本実施形態のアンテナ付き竪樋は、流出部３８として短管が取り付けられていたが、集水体５の下縁部５２を流出部３８としてもよい。また、集水体５の下縁部５２を設けずに、集水部５１の下方開口部５４を流出部３８としてもよい。
【００８５】
以上、本発明のアンテナ付き竪樋を実施形態１〜５に基づいて説明した。実施形態１〜５のアンテナ付き竪樋は、外筒部９や上接続部６や下接続部７が設けられていたが、本発明のアンテナ付き竪樋においては、外筒部９や上接続部６や下接続部７が設けられていなくてもよい。
【００８６】
また実施形態１〜５のアンテナ付き竪樋は、アンテナ２がスロットアンテナ２により構成されていたが、本発明においてアンテナ２は、スロットアンテナ２に限定されない。
【００８７】
また実施形態１〜５のアンテナ付き竪樋は、集水部４１，５１の側面が、下方ほど樋体３の中央側に位置するよう傾斜していたが、図１１のように、傾斜したものでなくてもよい。
【００８８】
また、実施形態１〜５のアンテナ付き竪樋は、集水体５が円筒状に形成されていたが、本発明においては、角筒状であってもよく、その形状は限定されない。
【符号の説明】
【００８９】
１      雨水中流し手段
２      アンテナ
２１    スロット
３      樋体
３１    内筒体
３２    側壁
４      集水体
４１    集水部
４２    下縁部
６      上接続部
６１    上貫通孔
７      下接続部
７１    下貫通孔
９      外筒部
【図１】
0005820963.tif 000002
【図２】
0005820963.tif 000003
【図３】
0005820963.tif 000004
【図４】
0005820963.tif 000005
【図５】
0005820963.tif 000006
【図６】
0005820963.tif 000007
【図７】
0005820963.tif 000008
【図８】
0005820963.tif 000009
【図９】
0005820963.tif 000010
【図１０】
0005820963.tif 000011
【図１１】
0005820963.tif 000012